(57)【要約】【課題】ヒップホールド部のめくれを防止し、装着感に優れた吸収性物品を提供する。【解決手段】透液性の表面シートと、不透液性の裏面シートと、前記表面シートと前記裏面シートとの間に設けられた吸収体とを有する本体と、ヒップホールド部とを備えた吸収性物品であって、前記本体は、前後方向に所定の長さ及び該前後方向と直交する方向に所定の幅を有する形状であり、前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、前記第１凸部の外形線が曲線を有し、前記第１凸部の頂点と前記第１凸部の頂点における曲率円の中心とを通る第１仮想線上に、剛性が高められた１つ又は複数の剛性部分を含む剛性エリアが設けられている。【選択図】図１
2018029842.tif 000002
【特許請求の範囲】
【請求項１】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記第１凸部の外形線が曲線を有し、前記第１凸部の頂点と前記第１凸部の頂点における曲率円の中心とを通る第１仮想線上に、剛性が高められた１つ又は複数の剛性部分を含む剛性エリアが設けられている、吸収性物品。
【請求項２】
前記ヒップホールド部は、前記第１凸部より後方に隣接する第２凹部を有し、前記剛性エリアが、前記第１凹部の底点と前記第２凹部の底点とを通る第２仮想線を跨るように配置されている、請求項１に記載の吸収性物品。
【請求項３】
前記剛性部分又は前記剛性エリアが細長形状を有しており、該細長形状の長手方向が、前記第１仮想線に略平行になっている、請求項１又は２に記載の吸収性物品。
【請求項４】
前記剛性部分が、エンボス加工された部分である、請求項１から３のいずれか一項に記載の吸収性物品。
【請求項５】
前記側部領域の周縁部に複数のドット状エンボスが設けられており、前記剛性エリアにおける前記剛性部分の面積が、前記ドット状エンボス１つの面積の１０倍以上２５倍以下である、請求項４に記載の吸収性物品。
【請求項６】
前記剛性エリア内で、複数の前記剛性部分が放射状に配置され、花形形状が形成されている、請求項１から５のいずれか一項に記載の吸収性物品。
【請求項７】
複数の前記剛性エリアが、前記第１仮想線上に並んで配置されており、前記中心線により近い剛性エリアの面積が、前記中心線からより遠い剛性エリアの面積に比べて小さい、請求項１から６のいずれか一項に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。
【０００３】
さらに近年では、吸収性物品の後方及び／又は斜め後方から体液が漏れることを防止するために、吸収性物品の両側部後方から後端部にわたり長さ及び幅を大きくした拡張部分を設けることが知られている。
【０００４】
例えば、特許文献１には、液不透過性シートと該液不透過性シートの肌当接面側に積層された不織布とからなる後部フラップを備えた吸収性物品が開示されている。この後部フラップは、液不透過性シートと不織布とが積層された積層体に熱エンボス加工を施して凹凸パターンを形成することにより剛性が高められている。
【０００５】
また、特許文献２には、ウイング部よりも後方において、本体部よりも幅方向外側に突出するフラップ部を備えた吸収性物品が開示されている。このフラップ部は、フラップ部の幅方向の長さがその前後の領域の幅方向長さよりも短く形成された括れ部と、括れ部よりも前側に位置し、括れ部よりも幅方向外側に突出する第１フラップ部と、括れ部よりも後側に位置し、括れ部よりも幅方向外側に突出する第２フラップ部とを備えており、さらに、フラップ部の厚み方向において凹み、後方に向かうにつれて幅方向内側から幅方向外側に延び、前記括れ部に到達する凹み部が形成されている。
【先行技術文献】
【特許文献】
【０００６】
【特許文献１】特許第３８７１６１１号公報
【特許文献２】特許第５０８２００７号公報
【発明の概要】
【発明が解決しようとする課題】
【０００７】
しかしながら、特許文献１の吸収性物品では、熱エンボス加工が後部フラップの全域に施されているため、フラップ部が硬くなり、装着感が低下し得る。
【０００８】
また、特許文献２の吸収性物品では、フラップ部が凹み部で折れやすくなっているため、フラップ部の突出する部分のめくれが生じやすくなっている。
【０００９】
上記の点に鑑みて、本発明は、臀部の形状に沿って良好にフィットでき、且つヒップホールド部のめくれを防止し、装着感に優れた吸収性物品を提供することを課題とする。
【課題を解決するための手段】
【００１０】
上記課題を解決するため、本発明の第一の態様は、透液性の表面シートと、不透液性の裏面シートと、前記表面シートと前記裏面シートとの間に設けられた吸収体とを有する本体と、ヒップホールド部とを備えた吸収性物品であって、前記本体は、前後方向に所定の長さ及び該前後方向と直交する方向に所定の幅を有する形状であり、前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、前記第１凸部の外形線が曲線を有し、前記第１凸部の頂点と前記第１凸部の頂点における曲率円の中心とを通る第１仮想線上に、剛性が高められた１つ又は複数の剛性部分を含む剛性エリアが設けられている。
【００１１】
上記第一の態様では、ヒップホールド部は、側部領域において、本体の前後方向中心線からの幅が最も大きい部分を含む第１凸部と、第１凸部より前方に隣接する第１凹部と、第１凹部より前方に隣接する第２凸部とを有する。そのため、吸収性物品を装着する際にヒップホールド部を臀部に沿うように当てた時、第１凸部と第２凸部との間の第１凹部の存在によって、第１凸部と第２凸部とは互いに相手側に影響を及ぼすことなく独立に変形することができる。これにより、ヒップホールド部は臀部の曲面形状（丸み）に沿って変形することができるので、ヒップホールド部の身体へのフィット性を高めることができる。
【００１２】
しかしながら、吸収性物品を装着する際、或いはヒップホールド部と臀部との接触状態、臀部への体重の掛かり具合等によっては脚や臀部を動かした際に、ヒップホールド部の外周領域に比較的大きな力が負荷される場合がある。その場合には、凸部（の一部）がめくれて、肌側又は下着側に折れ曲がったり、小さなシワやヨレが発生したりすることがある（以下、「めくれ又はヨレ」という場合がある）。そして、このようなめくれやヨレは、幅が最も大きい部分を含む第１凸部において起こりやすい。
【００１３】
これに対し、本態様では、第１凸部の頂点と第１凸部の頂点における曲率円の中心とを通る第１仮想線（の延長）上に、剛性が高められた１つ又は複数の剛性部分を含む剛性エリアを設けることによって、第１凸部及び／又はその近傍に適度な剛性を付与することができる。そのため、第１凸部のめくれを防止することができる。
【００１４】
本発明の第二の態様によれば、前記ヒップホールド部は、前記第１凸部より後方に隣接する第２凹部を有し、前記剛性エリアが、前記第１凹部の底点と前記第２凹部の底点とを通る第２仮想線（の延長）を跨るように配置されている。
【００１５】
本発明の第二の態様では、剛性エリアを、第１凹部の底点と第２凹部の底点とを結ぶ第２仮想線を跨るように配置する。第１凸部のめくれは、第１凸部の両側にある第１凹部の底点と第２凹部の底点とを結んだ線で折れ曲がることによって特に発生しやすい。そのため、第１凹部の底点と第２凹部の底点とを結んだ線上に、剛性エリアを設けておくことで、第１凸部でのめくれをより一層防止することができる。
【００１６】
本発明の第三の態様によれば、前記剛性部分又は前記剛性エリアが細長形状を有しており、該細長形状の長手方向が、前記第１仮想線に略平行になっている。
【００１７】
本発明の第三の態様では、剛性部分又は前記剛性エリアを細長形状とし、細長形状の長手方向が第１仮想線に略平行になるよう配置することで、剛性部分又は剛性エリアが、第１仮想線Ｘ１の方向でより広い範囲にわたって延在することになる。その結果、剛性を高める効果が一層高まり、第１凸部でのめくれをさらに良好に防止することができる。
【００１８】
本発明の第四の態様によれば、前記剛性部分が、エンボス加工された部分である。
【００１９】
上記第四の態様では、剛性部分をエンボスとすることで、剛性部分の剛性を向上させることができる。また、剛性部分が圧搾されているので、ヒップホールド部が肌に押し付けられることがあっても生じる違和感は小さく、装着感に優れた吸収性物品を提供することができる。
【００２０】
本発明の第五の態様によれば、前記側部領域の周縁部に複数のドット状エンボスが設けられており、前記剛性エリアにおける剛性部分の面積が、前記ドット状エンボス１つの面積より１０倍以上２５倍以下である。
【００２１】
上記第五の態様では、側部領域の周縁部に複数のドット状エンボスを設け、剛性エリアにおける剛性部分の面積を、ドット状エンボス１つの面積の１０倍以上２５倍以下とすることで、ヒップホールド部全体として、めくれ防止及び装着感の両方をバランス良く有する適度な剛性を付与することができる。
【００２２】
本発明の第六の態様によれば、前記剛性エリア内で、複数の前記剛性部分が放射状に配置され、花形形状が形成されている。
【００２３】
上記第六の態様では、剛性エリア内で複数の剛性部分を放射状に配置し、花形形状とすることで、剛性を高める効果を維持しつつ、複数の剛性部分の各面積を小さくすることができる。これにより、剛性部分が肌に当った時の違和感を最小限にする、又はなくすことができる。また、審美性も向上する。
【００２４】
本発明の第七の態様によれば、複数の前記剛性エリアが、前記第１仮想線上に並んで配置されており、前記中心線により近い剛性エリアの面積が、前記中心線からより遠い剛性エリアの面積に比べて小さい。
【００２５】
上記第七の態様では、剛性エリアを複数配置し、中心線により近い剛性エリアの面積を、中心線からより遠い剛性エリアの面積に比して小さくすることで、より肌に密着しやすい位置での剛性エリアをより小さく形成することができる。これにより、凸部のめくれ防止効果を維持しつつ、剛性の高い部分が肌に密着した場合であっても違和感を抑えることができる。
【発明の効果】
【００２６】
本発明の一態様によれば、ヒップホールド部のめくれを防止し、装着感に優れた吸収性物品が提供される。
【図面の簡単な説明】
【００２７】
【図１】本発明の一態様による吸収性物品の一部破断図である。
【図２】本発明の一態様による吸収性物品のＡ−Ａ線断面図である。
【図３】本発明の一態様におけるヒップホールド部の部分拡大図である。
【図４】本発明の一態様における剛性部分及び剛性エリアの概略的な拡大図である。
【図５】本発明の一態様における剛性部分及び剛性エリアの配置を説明するための、ヒップホールド部の概略的な部分拡大図である。
【図６】本発明の一態様における剛性部分及び剛性エリアの配置を説明するための、ヒップホールド部の概略的な部分拡大図である。
【図７】本発明の一態様における剛性部分及び剛性エリアの配置を説明するための、ヒップホールド部の概略的な部分拡大図である。
【図８】本発明の一態様におけるヒップホールド部の部分拡大図である。
【図９】本発明の一態様におけるヒップホールド部の部分拡大図である。
【図１０】本発明の一態様におけるヒップホールド部の部分拡大図である。
【図１１】本発明の一態様による吸収性物品が装着された状態を示すモデル図である。
【発明を実施するための形態】
【００２８】
以下、本発明の実施の態様について図面を参照しながら説明する。
【００２９】
吸収性物品１は、図１及び図２に示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。吸収性物品１は、さらに、図１に示すように、後述のヒップホールド部Ｈ、及びウィングＷＧを備えたウィング部Ｗを有しており、ヒップホールド部Ｈ及びウィング部Ｗの間には中間部Ｍが存在する。中間部Ｍは、ウィングＷＧの後方の終端から、第２凸部４２の前方の終端までの領域とすることができる。
【００３０】
吸収性物品１を使用する場合は、ウィング部Ｗ側が前方方向を向き、ヒップホールド部Ｈ側が後方方向を向くように下着に装着する。本体８は、図１に示すように、全体としては、前後方向に所定の長さａを有する細長い形状であり、前後方向と直交する方向に一定の幅ｂを有している。そして、吸収性物品１は、前後方向に延びる中心線ＣＬに対し略線対称の形状になっている。
【００３１】
吸収体４の前方及び後方の端縁部では、裏面シート２の外縁と表面シート３の外縁とが、ホットメルト等の接着剤やヒートシール、超音波シール等の接着手段によって接合されている。また、表面シート３側にはその両側部に、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、ヒップホールド部Ｈの側部領域１０及びウィングＷＧが形成されている。
【００３２】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３３】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３４】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３５】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３６】
吸収体４の厚みは、約０．５〜２５ｍｍの範囲内とすることが好ましい。吸収体４は、前面にわたり均一な厚みを有していなくともよく、体液排出部位に対応した部分を膨出させた構造とすることもできる。また、吸収体４は、積繊又はエアレイド法によって製造されたものが好ましい。
【００３７】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ヒップホールド部Ｈにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３８】
本態様においては、吸収性物品１は、透液性の表面シート３と、不透液性の裏面シート２と、前記表面シート３と前記裏面シート２との間に設けられた吸収体４とを有する本体８と、ヒップホールド部Ｈとを備えている。
【００３９】
ヒップホールド部Ｈは、吸収性物品１の両側部後方から後端部にわたる部分の長さ及び幅を大きくすることによって形成された面積拡張部分であり、図１１に示すように、装着時に下着の臀部内面側に固定されることで、吸収性物品１の後方及び／又は斜め後方からの体液の漏れを阻止する機能を有する。ヒップホールド部Ｈは、図１に示すように、吸収性物品１の本体８の両側部の後方から後端部にかけて延在する、サイド不織布７と裏面シート２とが積層されたフラップ状の部分を含む。
【００４０】
ヒップホールド部Ｈは、本体８の後方側部から突出する側部領域１０と、本体８の後端部から突出する後部領域２０とを有している。ヒップホールド部Ｈの側部領域１０は、主として裏面シート２とサイド不織布７とが貼り合せられて構成された領域を含み、後部領域２０は、主として裏面シート２と表面シート３とが貼り合せられて構成された領域を含む。
【００４１】
ヒップホールド部Ｈの側部領域１０及び後部領域２０は、吸収体４を有さず、本体８に比べて薄く構成されていることが好ましい。これにより、本体８よりもフレキシブルな動きをすることができる。但し、本体８で用いられる吸収体４より薄く構成された吸収体を、ヒップホールド部Ｈ内の側部領域１０の裏面シート２とサイド不織布７との間に積層させることもできる。
【００４２】
ヒップホールド部Ｈは、装着時に下着のクロッチ部分の後端に対応する位置を起点として、吸収性物品１の後端まで延びる部分とすることができる。図１の例では、ヒップホールド部Ｈは、第２凸部４２の前方の終端がある位置から吸収性物品１の後端までの前後方向にわたる部分とすることができる。例えば、ヒップホールド部Ｈの前後方向の長さは、５０ｍｍ以上２００ｍｍ以下であると好ましく、８０ｍｍ以上１８０ｍｍ以下であるとより好ましい。また、吸収性物品１の全長は２００ｍｍ以上４５０ｍｍ以下とすることができ、この全長に対してヒップホールド部Ｈの前後方向の長さは、１０％以上５０％以下であると好ましい。なお、ヒップホールド部Ｈは、吸収性物品１の幅が最も大きくなる部分を含み、その幅は、１２０ｍｍ以上２３０ｍｍ以下であると好ましい。
【００４３】
さらに、ヒップホールド部Ｈには、その外周（外形線）に凹凸が設けられている。例えば、図１に示すように、側部領域１０において、本体８の前後方向中心線ＣＬからの幅が最も大きい部分を含む第１凸部４１と、第１凸部４１より前方に隣接する第１凹部５１と、第１凹部５１より前方に隣接する第２凸部４２とを有する。
【００４４】
以下、ヒップホールド部Ｈの外周に凹凸部を形成することによる作用を説明する。
【００４５】
ヒップホールド部Ｈは、全体としては平面状である。この様な平面状のヒップホールド部Ｈを臀部に当てた場合、臀部が曲面形状を有するために、平面形状と曲面形状との違いに起因して、特にヒップホールド部Ｈの外周領域に歪が生じ、シワが発生し得る。発生するシワの大きさや数はヒップホールド部Ｈ全体の面積（エリア）及び臀部の曲面の形状に関係するが、ヒップホールド部Ｈの外周に上述のような凸部及び凹部が形成されていない場合は、ヒップホールド部Ｈの外周領域の複数の箇所に大きなシワが発生し得る。この様な大きなシワは、臀部の肌に接することで装着者に違和感を与えるが、特に、長時間椅子に腰掛けている場合、或いは夜間仰向けに寝ている場合は、体重の一部が臀部に加わるため、その分、違和感乃至不快感は大きくなる。また、就寝中の姿勢の変化或いは着席中の姿勢の変化により臀部に掛かる体重の大きさや、臀部とヒップホールド部Ｈとの接触状態が変化することで、シワが一層大きくなり得る。さらに夜間等で、仰向け或いは横向きで寝ている場合は、そのようなシワにより生じた隙間から体液が外部に漏洩しやすくなる。
【００４６】
これに対し、本態様では、ヒップホールド部Ｈの外形形状には、２つの凸部の間に凹部が存在しているため、例えば、第１凸部４１にシワを発生させる力が作用しても、第１凹部５１の存在によって第２凸部４２に第１凸部４１で発生する力が伝播しないために、第１凸部４１に生じた力は第１凸部４１のエリアに留まることになる。第２凸部４２にシワを生じさせる力が作用した場合も同様である。このように、第１凸部４１と第２凸部４２とは互いに影響を及ぼすことなくそれぞれ独立に変形することができる。また、シワが発生しても、そのシワが大きくなることはない。
【００４７】
よって、吸収性物品１を装着する際にヒップホールド部Ｈを臀部の曲面に沿うように当てた時、ヒップホールド部Ｈを、臀部の曲面に沿って変形させることができる。これにより、ヒップホールド部Ｈの臀部へのフィット性を向上させることができる。
【００４８】
なお、図示の態様では、ヒップホールド部Ｈの側部領域１０において第１凸部４１、第１凹部５１及び第２凸部４２が設けられた構成となっているが、凸部及び凹部の数及び形状は図示の例に限られない。例えば、ヒップホールド部Ｈの側部領域１０には、２〜５個の凸部を設けることができ、１〜５個の凹部を設けることができる。
【００４９】
上述のように、ヒップホールド部Ｈは、外周に凹凸が設けられていることによって、身体へのフィット性が高められている。しかしながら、吸収性物品１を装着する際、或いはヒップホールド部Ｈと臀部との接触状態、臀部への体重の掛かり具合によっては、脚や臀部を動かした時等に凸部（の一部）がめくれて、肌側又は下着側に折れ曲がったり、小さなシワやヨレ（以下、「めくれ又はヨレ」という場合がある）が発生したりするおそれがある。そして、このようなめくれ又はヨレは、幅が最も大きい部分を含む第１凸部４１において起こりやすい。
【００５０】
これに対し、本態様では、図１及び図３に示すように、第１凸部４１の外形線が曲線を有し、第１凸部４１の頂点Ｐと第１凸部４１の頂点Ｐにおける曲率円の中心Ｏとを通る第１仮想線Ｘ１（の延長）上に、剛性が高められた１つ又は複数の剛性部分６０を含む剛性エリア７０が設けられている。つまり、第１凸部４１の頂点Ｐと、この第１凸部４１の頂点Ｐ付近の曲線の微小部分を円弧に近似した場合の円の中心Ｏとを通る仮想線Ｘ１上に、剛性エリア７０を配置する。これにより、第１凸部４１がめくれやすい方向に沿って第１凸部４１の領域の剛性を向上させることができる。よって、上述のヒップホールド部Ｈの身体へのフィット性を維持しつつ、幅が最も大きく幅方向の動きが大きい傾向を有する第１凸部４１のめくれを防止することができる。
【００５１】
なお、図示の例では、第１凸部４１の外形線は曲線からなっているが、第１凸部４１の外形線は一部に直線を有するものであってもよいし、その両側にある凹部の外形線への移行点で接線の傾きが不連続に変化するものであってもよい。これは、第１凸部４１以外の凹部及び凸部についても同様である。
【００５２】
本明細書において、剛性部分６０とは、加工が施されて剛性が高められた部分を指す。剛性を高めるための加工手段については特に限定されないが、剛性部分６０は、圧搾によって形成された圧搾部分であると好ましく、その中でも、熱エンボス加工、超音波エンボス加工等のエンボス加工された部分であるとより好ましい。
【００５３】
剛性部分６０は、その部分に樹脂組成物等を塗布して固化させたり、シートを積層させたりすることにより局所的に厚みを大きくすることによって形成することもできる。このような厚みを大きくした部分は、裏面シート２の側に設けてもよいし、裏面シート２とサイド不織布７との間に介在させてもよい。
【００５４】
また、本明細書において、剛性エリア７０とは、上述の１つ又は複数の剛性部分６０とその周辺の部分とを含むエリア（領域）を指す。つまり、剛性エリア７０とは、加工が施された剛性部分６０を含み、さらに、直接的に加工が施された部分ではないが、剛性部分６０の加工によって周囲よりも剛性が高められた部分を含むエリア（領域）である。例えば、剛性部分６０がエンボス加工等の圧搾加工によって形成されている場合には、圧搾された部分の周辺において加工前後で厚みが変化した部分を含み得るし、さらにはその周辺の、厚みが変化した部分からの影響（熱等の影響を含む）によって剛性が変化した部分を含み得る。
【００５５】
図面においては、剛性エリア７０を、１つ又は複数の剛性部分６０を取り囲む点線で示す。図示の剛性エリア７０は、その概念を説明するために例示したものに過ぎず、その形状や大きさは、剛性部分６０の形状、大きさ及び配置、並びに剛性部分６０を加工する方法及び条件等によって変化する。
【００５６】
剛性部分６０の形状は特に限定されないが、平面視で、三角形や台形、菱形等の四角形及びその他の多角形、並びに円形、楕円形、アーモンド形、雨滴形、星形、ハート形、ダイヤ形、スペード形、クラブ形等とすることができる。形状の例を図４に示す。
【００５７】
図４（ａ）〜（ｅ）は、１つの剛性エリア７０に、それぞれ１つの剛性部分６０が含まれた例であり、（ａ）楕円形、（ｂ）長方形、（ｃ）星形、（ｄ）ハート形の剛性部分６０、（ｅ）円形が、それぞれ１つの剛性エリア７０に含まれている。
【００５８】
一方、図４（ｆ）〜（ｈ）に示すように、１つの剛性エリア７０には、複数の剛性部分６０が含まれるようにしてもよい。その場合、剛性エリア７０に含まれる剛性部分６０の形状及び／又は大きさは、同じであってもよいし、互いに異なっていてもよい。図４（ｆ）〜（ｈ）の例では、複数の剛性部分６０が近接して設けられ、その複数の剛性部分６０の集合体によって１つのモチーフが形成されている。
【００５９】
例えば、図４（ｆ）のように、２つの雨滴形の剛性部分６０を並べることによって割れたハートのモチーフを形成し、剛性エリア７０をハート形の形状とすることもできる。また、図４（ｇ）に示すように、雨滴形又は楕円形の複数の剛性部分６０を放射状に配置し、それらの集合体によって花形形状のモチーフ及び剛性エリア７０が形成されるようにすることもできる。このような花形のモチーフは、デザイン性が高く、審美性に優れる。さらに、図４（ｈ）に示すように、剛性部分６０を小さなドット状のエンボスとし、その集合体によって楕円形状のモチーフを形成し、楕円形の剛性エリア７０を形成することもできる。
【００６０】
なお、図示の剛性エリア７０の形状は例示に過ぎない。剛性エリア７０の形状は、上述のように、含まれる剛性部分６０の数、形状、大きさ、位置関係等によって異なり、平面視で、三角形や台形、菱形等の四角形及びその他の多角形、並びに円形、楕円形、アーモンド形、雨滴形、星形、ハート形、ダイヤ形、スペード形、クラブ形等とすることができる。
【００６１】
剛性エリア７０の剛性部分６０の合計の面積は、２ｍｍ２以上４５ｍｍ２以下であると好ましく、５ｍｍ２以上２９ｍｍ２以下であるとより好ましい。このような範囲とすることで、ヒップホールド部Ｈの剛性を向上させて凸部のめくれを防止するとともに、ヒップホールド部Ｈの柔らかさを確保することができるので、フィット性が良く且つ装着感に優れた吸収性物品１を提供することができる。
【００６２】
なお、側部領域１０において、第１凸部４１以外に凸部が存在する場合には、第１凸部４１以外の凸部、例えば図１及び図３に示すように、第２凸部４２や第３凸部４３（第１凸部４１より後方に隣接する第２凹部５２の後方に隣接する凸部）においても、剛性部分６０を含む剛性エリア７０を設けることができる。この場合、第２凸部４２及び第３凸部４３においても、凸部の頂点とその曲率円の中心とを通る仮想線上に剛性エリア７０を設けると、第２凸部４２及び第３凸部４３のめくれを防止することができる。
【００６３】
さらに、ヒップホールド部Ｈは、図３に示すように、第１凸部４１より後方に隣接する第２凹部５２を有し、剛性エリア７０が、第１凹部５１の底点Ｑと第２凹部５２の底点Ｒとを通る第２仮想線（の延長）Ｘ２を跨るように配置されていると好ましい。
【００６４】
上述のように、ヒップホールド部Ｈの外形線に凹凸が設けられていることで、身体へのフィット性が増すが、特定の状況下でヒップホールド部Ｈの凸部が比較的大きな力を受けた場合、凸部は付け根で折れやすい。例えば、第１凸部４１は、その両側にある第１凹部５１の底点Ｑと第２凹部５２の底点Ｒとを結んだ線で折れやすく、めくれやすい。そこで、剛性エリア７０を、第１凹部５１の底点Ｑと第２凹部５２の底点Ｒとを通る第２仮想線Ｘ２を跨るように配置することで、上記の折れを防止し、第１凸部４１のめくれを一層防止することができる。
【００６５】
剛性部分６０が細長形状を有している場合には、図５に示すように、その長手方向が、上述の第１仮想線Ｘ１に略平行になっていると好ましい。ここで、第１仮想線Ｘ１に略平行とは、第１仮想線Ｘ１に対する厳密な平行を指すのではなく、例えば±１５°以下であってよく、±５°以下であることが好ましい。また、細長形状とは、図５のような長方形や、楕円形、雨滴形、底辺が他の辺より短い二等辺三角形等、一方向の長さが他の方向の長さよりも長くなっている形状である。このように、細長形状の剛性部分６０の長手方向が、第１仮想線Ｘ１に沿っていることによって、剛性が高められたエリアを、第１仮想線Ｘ１の方向にわたってより広く延在させることができ、その結果、本態様の剛性部分６０によって得られるめくれ防止の効果をより一層高めることができる。
【００６６】
また、剛性エリア７０が全体として細長形状を有している場合には、図６（ｂ）並びに図７（ａ）及び図７（ｂ）に示すように、その剛性エリア７０の長手方向が、上述の第１仮想線Ｘ１に対して略平行になっていると好ましい。ここで、第１仮想線Ｘ１に略平行とは、第１仮想線Ｘ１に対する厳密な平行を指すのではなく、例えば±１５°以下であってよく、±５°以下であることが好ましい。また、剛性エリア７０の細長形状とは、長方形、楕円形、雨滴形、底辺が他の辺より短い二等辺三角形等、一方向の長さが他の方向の長さよりも長くなっている形状である。細長形状の剛性エリア７０の長手方向が、第１仮想線Ｘ１に沿っていることによって、剛性が高められたエリアを、第１仮想線Ｘ１の方向にわたってより広く延在させることができるので、めくれ防止の効果をより一層高めることができる。
【００６７】
なお、上記の条件が、剛性部分６０及び剛性エリア７０のうち一方によって満たされていれば、めくれ防止の効果を向上させることができる。例えば、同様に配置された同様の形状及び大きさの剛性部分６０を含む剛性エリア７０であり、剛性エリア７０の向きのみが異なるものである。図６（ａ）の例では、３つの剛性部分６０のうち中央の楕円形の剛性部分６０の長手方向が、上記の第１仮想線Ｘ１に対して略平行に配置されている。一方、図６（ｂ）の例では、楕円形の剛性エリア７０の長手方向が上記の第１仮想線Ｘ１に対して略平行に配置されている。図６（ａ）及び図６（ｂ）の例では、剛性エリア７０全体の向きが互いに異なっているが、剛性部分６０及び剛性エリア７０のどちらかが上記の配置の方向の条件を満たしているので、いずれの場合であっても上記効果を奏することができる。
【００６８】
図６（ｂ）のように、剛性エリア７０の細長形状の長手方向が第１仮想線Ｘ１に略平行になっている方が好ましく、剛性部分６０及び剛性エリア７０の両方が上記の条件を満たす形状となっているとより好ましい。
【００６９】
なお、剛性部分６０又は剛性エリア７０の形状の輪郭上の２点を結んだ線分を２以上引いた場合に、長さの異なる線分を２以上引けるような形状であれば、細長形状を有するということができる。例えば、剛性部分６０及び剛性エリア７０が図７（ｃ）に示すような形状の場合、剛性エリア７０の形状の輪郭上の２点を結んで得られる線分の中で最も長い線分ＳＴの方向を第１仮想線Ｘ１に対して略平行になるように配置すると、剛性の高いエリアを、第１仮想線Ｘ１の方向にわたってより広く延在させることができるので、凸部のめくれの防止効果を向上させることができる。
【００７０】
第１仮想線Ｘ１上に配置する剛性エリア７０は１つであってもよく、複数であってもよい。複数の剛性エリア７０を設ける場合には、その形状及び／又は大きさは同じであってもよいし、互いに異なっていてもよい。
【００７１】
複数の剛性エリア７０を第１仮想線Ｘ１上に配置する場合、外側に配置した剛性エリア７０の大きさを最も大きくし、その剛性エリア７０よりも内側に配置された剛性エリア７０の大きさをより小さくすると好ましい。すなわち、前後方向中心線ＣＬにより近い位置に配置された剛性エリア７０の面積（又は剛性エリア７０内の剛性部分６０の面積）が、その剛性エリア７０よりも中心線ＣＬから遠い位置に配置された剛性エリア７０（又は剛性エリア７０内の剛性部分６０の面積）の面積と比較して小さいことが好ましい。図８に示すように、３つ以上の剛性エリア７０を配置する場合には、内側に向かうにつれて剛性エリア７０の大きさを徐々に小さくすることが好ましい。その場合、複数の面積の異なる剛性エリア７０を相似とすることが好ましい。すなわち、剛性エリア７０自体の形状及び剛性エリア７０に含まれる剛性部分６０の形状及び配置を相似とすることが好ましい。
【００７２】
周縁の剛性エリア７０がより大きく、周縁から離れた剛性エリア７０が小さくなるよう配置することで、剛性エリア７０及び剛性部分６０によるめくれ防止の作用・機能を維持しつつ、臀部とヒップホールド部Ｈとの接触条件によって剛性エリア７０が肌に当って押し付けられることがあっても、剛性部分６０による違和感を抑えることができる。
【００７３】
第１仮想線Ｘ１上での剛性エリア７０を設ける位置は特に限定されないが、図３及び図８等に示すように、幅方向内側においては、吸収性物品本体８の手前までとする。また、幅方向外側では、ヒップホールド部Ｈの外形線に接するように設けることもできるが、ヒップホールド部Ｈの周縁部に後述のドット状エンボスＤＥが設けられている場合には、ドット状エンボスＤＥの手前までとするのが好ましい。
【００７４】
剛性エリア７０は、図９に示すように、第２仮想線Ｘ２より幅方向外側に設けることもできる。このような配置によって、第１凸部４１が外側に大きく突出している場合であっても第１凸部４１の小さなシワが寄ったり、めくれたりすることを良好に防止することができるので、良好なフィット性が維持される。
【００７５】
また、図１０に示すように、近接した複数の剛性部分６０を第１仮想線Ｘ１に沿って連続的に並べて、本体８に至るまでの間に帯状の剛性エリア７０を形成することもできる。これにより、めくれ防止の効果は向上する。この場合も、中心線ＣＬに近づくほど剛性部分６０の面積が小さくなるように配置しておくと、図８を参照して上述したように剛性部分６０が肌に当った時の違和感を抑え、装着感を向上させることができる。
【００７６】
ヒップホールド部Ｈの側部領域１０の周縁部には、図１に示すように、複数のドット状エンボスＤＥを設けることができる。ドット状エンボスＤＥは、熱エンボス加工、超音波エンボス加工等のエンボス加工によって形成される小さなドット状の圧搾部の集合体であり、主として、吸収性物品の周縁部において裏面シート２とサイド不織布７との積層体を接合し、且つその部分の剛性を高めることを目的として設けられる。
【００７７】
図１等の例では、ドット状エンボスＤＥの形状は円形であるが、三角形、台形、菱形等の四角形及びその他の多角形、並びに楕円形、雨滴形、星形、ハート形等にもすることができる。また、ドット状エンボスＤＥの１つ当たりの面積は、０．２ｍｍ２以上１．８ｍｍ２以下が好ましく、０．５ｍｍ２以上０．８ｍｍ２以下であることがより好ましい。この範囲とすることで、吸収性物品１の周縁が適切に接合され、且つ適度な剛性が付与される。
【００７８】
ドット状エンボスＤＥが設けられている場合には、１つの剛性エリア７０における剛性部分６０の面積は、ドット状エンボスＤＥ１つの面積の１０倍以上２５倍以下であると好ましい。ここで、剛性エリア７０における剛性部分６０の面積は、剛性エリア７０内に複数の剛性部分６０が設けられている場合には、剛性部分６０の面積の合計とすることができる。剛性エリア７０の面積を上記範囲とすることで、ヒップホールド部Ｈの周縁領域とそれより内側の領域とでバランスのとれた適度な剛性を得ることができる。
【００７９】
剛性エリア７０は、側部領域１０に設けられた凸部及び凹部の形状及び／又は大きさに応じて、第１仮想線Ｘ１上にない任意の位置にも追加的に設けることができる。
【００８０】
また、剛性エリア７０は、ヒップホールド部Ｈの側部領域１０以外の場所にも設けることができる。例えば、ヒップホールド部Ｈの後部領域２０において、表面シート３と裏面シート２との積層体に剛性エリア７０を設けることができる。また、剛性エリア７０は、図１に示すように、ヒップホールド部Ｈ以外の部分、ウィング部ＷのウィングＷＧ、及びウィング部Ｗより前方の部分の側部にも設けることができる。このようにヒップホールド部Ｈの側部領域１０以外の場所にも剛性エリア７０を設ける場合も、凸部の頂点とその曲率円の中心とを通る仮想線上に設けることで、剛性エリア７０を設けた部分の剛性を向上させることができ、その部分のめくれを防止することができる。
【００８１】
なお、前後方向において、幅が最も大きくなる第１凸部４１が配置される位置は、ヒップホール部Ｈの前後方向の長さの半分より後方とすることができる。ヒップホールド部Ｈは後方に行くほど幅方向に動きやすくなるので、第１凸部４１がめくれる傾向が大きくなるが、そのような場合であっても、第１仮想線Ｘ１上に、剛性が高められた１つ又は複数の剛性部分６０を含む剛性エリア７０が設けられていることによって、第１凸部４１のめくれを良好に防止することができる。
【符号の説明】
【００８２】
１  吸収性物品
２  裏面シート
３  表面シート
４  吸収体
５  被包シート
７  サイド不織布
８  本体（吸収性物品本体）
１０  側部領域
２０  後部領域
４１  第１凸部
４２  第２凸部
４３  第３凸部
５１  第１凹部
５２  第２凹部
６０  剛性部分
７０  剛性エリア
Ｈ  ヒップホールド部
Ｗ  ウィング部
ＤＥ  ドット状エンボス
ＷＧ  ウィング
ＣＬ  前後方向中心線
Ｘ１  第１仮想線（第１凸部の頂点とその曲率円の中心とを通る直線）
Ｘ２  第２仮想線（第１凹部の底点と第２凹部の底点とを通る直線）
【図１】
2018029842.tif 000003
【図２】
2018029842.tif 000004
【図３】
2018029842.tif 000005
【図４】
2018029842.tif 000006
【図５】
2018029842.tif 000007
【図６】
2018029842.tif 000008
【図７】
2018029842.tif 000009
【図８】
2018029842.tif 000010
【図９】
2018029842.tif 000011
【図１０】
2018029842.tif 000012
【図１１】
2018029842.tif 000013
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記第１凸部の外形線が曲線を有し、前記前後方向中心線からの幅が最も大きい位置である前記第１凸部の頂点と前記第１凸部の頂点における曲率円の中心とを通る第１仮想線上に、剛性が高められた１つ又は複数の剛性部分を含む剛性エリアが設けられており、
複数の前記剛性エリアが、前記第１仮想線上に並んで配置されており、前記前後方向中心線により近い剛性エリアの面積が、前記前後方向中心線からより遠い剛性エリアの面積に比べて小さい、吸収性物品。
【請求項２】
前記ヒップホールド部は、前記第１凸部より後方に隣接する第２凹部を有し、前記剛性エリアが、前記第１凹部の底点と前記第２凹部の底点とを通る第２仮想線を跨るように配置されている、請求項１に記載の吸収性物品。
【請求項３】
前記剛性部分又は前記剛性エリアが細長形状を有しており、該細長形状の長手方向が、前記第１仮想線に略平行になっている、請求項１又は２に記載の吸収性物品。
【請求項４】
前記剛性部分が、エンボス加工された部分である、請求項１から３のいずれか一項に記載の吸収性物品。
【請求項５】
前記側部領域の周縁部に複数のドット状エンボスが設けられており、前記剛性エリアにおける前記剛性部分の面積が、前記ドット状エンボス１つの面積の１０倍以上２５倍以下である、請求項４に記載の吸収性物品。
【請求項６】
前記剛性エリア内で、複数の前記剛性部分が放射状に配置され、花形形状が形成されている、請求項１から５のいずれか一項に記載の吸収性物品。